(57)【要約】【課題】フェルトペン等の上書きによっても滲むことのない透かし画像等を印刷することのできるインクジェット記録装置および印刷方法を提供する。【解決手段】記録媒体を搬送する搬送手段２と、搬送手段で搬送された記録媒体に対してインクジェットヘッドからインクを吐出させて印刷を行う印刷手段３と、透かし印刷を行うための透かし印刷データを有する透かし情報を取得する透かし情報取得手段４と、取得した透かし印刷データに基いて所定の下地データを生成して前記透かし情報に付加する下地データ付加手段５と、下地データが付加された透かし情報に基いて、印刷手段３を制御して透かし印刷を実行する印刷制御手段６とを備え、印刷制御手段は、透かし印刷データに対応する透かし印刷領域の単位面積当たりのインク量が、下地データに対応する下地領域との単位面積当たりのインク量よりも少なくなるように、各インク量を制御する。【選択図】図２
2015066712.tif 000002
【特許請求の範囲】
【請求項１】
記録媒体を搬送する搬送手段と、
該搬送手段で搬送された記録媒体に対してインクジェットヘッドからインクを吐出させて印刷を行う印刷手段と、
透かし印刷を行うための透かし印刷データを有する透かし情報を取得する透かし情報取得手段と、
取得した前記透かし印刷データに基いて所定の下地データを生成して前記透かし情報に付加する下地データ付加手段と、
下地データが付加された透かし情報に基いて、前記印刷手段を制御して透かし印刷を実行する印刷制御手段と
を備え、
前記印刷制御手段は、前記透かし印刷データに対応する透かし印刷領域の単位面積当たりのインク量が、前記下地データに対応する下地領域との単位面積当たりのインク量よりも少なくなるように、前記各インク量を制御することを特徴とするインクジェット記録装置。
【請求項２】
前記印刷制御手段は、
前記印刷に用いるインクの浸透パラメータに基づいて、前記各インク量を制御することを特徴とする請求項１に記載のインクジェット記録装置。
【発明の詳細な説明】
【技術分野】
【０００１】
本発明は、インクジェット記録装置に係り、特にフェルトペン等の上書きによっても滲むことのない透かし画像等を印刷することのできるインクジェット記録装置および印刷方法に関する。
【背景技術】
【０００２】
著作権保護や印刷物への付加情報を与える目的で、「マル秘」などの透かし画像や「コピー禁止」等の注意喚起の語句などを文書等に付加して印刷する場合がある。
【０００３】
これらの透かし画像や語句等は、印刷物の表面側の片隅等に印刷されるのが一般的である。
【０００４】
ここで、透かし画像等を印刷する技術は種々提案されている。例えば、特許文献１には、印刷データを受領する印刷データ受領部と、透かし埋め込み処理部とを備え、透かし埋め込み処理部は、印刷データに基づき生成される印刷物に所定の情報を表す透かし画像が異なる向きに複数配置されるように印刷データに透かし画像を表す透かし画像データを埋め込む技術が開示されている。
【先行技術文献】
【特許文献】
【０００５】
【特許文献１】特開２００７−２８２５６号公報
【発明の概要】
【発明が解決しようとする課題】
【０００６】
しかし、従来技術による印刷物の表面へ透かし画像等を印刷物の表面側に印刷する手法では、透かし画像等の上からフェルトペンや蛍光ペン等でラインを引いたり文字を書き込んだ際に、透かし画像等がフェルトペン等のインクで滲んでしまい、読み取り難くなったり、美観を損なうなどの問題があった。
【０００７】
本発明は、上記課題に鑑みてなされたものであり、フェルトペン等の上書きによっても滲むことのない透かし画像等を印刷することのできるインクジェット記録装置および印刷方法を提供することを目的とする。
【課題を解決するための手段】
【０００８】
上記目的を達成するため、本発明に係るインクジェット記録装置の第１の態様は、記録媒体を搬送する搬送手段と、該搬送手段で搬送された記録媒体に対してインクジェットヘッドからインクを吐出させて印刷を行う印刷手段と、透かし印刷を行うための透かし印刷データを有する透かし情報を取得する透かし情報取得手段と、取得した前記透かし印刷データに基いて所定の下地データを生成して前記透かし情報に付加する下地データ付加手段と、下地データが付加された透かし情報に基いて、前記印刷手段を制御して透かし印刷を実行する印刷制御手段とを備え、前記印刷制御手段は、前記透かし印刷データに対応する透かし印刷領域の単位面積当たりのインク量が、前記下地データに対応する下地領域との単位面積当たりのインク量よりも少なくなるように、前記各インク量を制御することを特徴とする。
【０００９】
本発明に係るインクジェット記録装置の第２の態様は、第１の態様に係るインクジェット記録装置において、前記印刷制御手段は、前記印刷に用いるインクの浸透パラメータに基づいて、前記各インク量を制御することを特徴とする。
【発明の効果】
【００１０】
本発明によれば以下の効果を奏することができる。
【００１１】
すなわち、第１の態様に係るインクジェット記録装置では、透かし印刷データに対応する透かし印刷領域の単位面積当たりのインク量が、下地データに対応する下地領域との単位面積当たりのインク量よりも少なくなるように、各インク量を制御するので、記録媒体の印刷面と逆側の面から目視した場合に、透かし印刷領域の印刷内容（画像や語句等）が透けて見えるように印刷することができる。従って、例えば、前記印刷面が記録媒体の裏面、逆側が表面とすると、目視される透かし印刷領域の印刷内容に対して表面側からフェルトペンや蛍光ペン等によって上書きしても、実際の透かし印刷は裏面に施されているので、透かし印刷の滲みは発生せず、透かし画像等が読み取り難くなったり、美観を損なうなどの事態を回避することができる。
【００１２】
また、透かし印刷領域の印刷内容（画像、語句、文章等）は、記録媒体の印刷面と逆側の面から目視した場合にのみ視認でき、印刷面側からは読み取ることができない。従って、前記印刷面が外側となるように記録媒体をハガキや封書として折り込んだような場合に、透かし印刷領域の印刷内容（画像、語句、文章等）が外側から読み取れない状態とすることができ、秘匿性を向上させることができる。
【００１３】
第２の態様に係るインクジェット記録装置では、印刷に用いるインクの浸透パラメータに基づいて、各インク量を制御するので、インクの浸透パラメータに合わせて、記録媒体の印刷面と逆側の面から目視した場合に、透かし印刷領域の印刷内容（画像や語句等）が透けて見えるようにする印刷を実現することができる。
【図面の簡単な説明】
【００１４】
【図１】本実施の形態に係るインクジェット記録装置の機能構成を示した機能ブロック図である。
【図２】透かし印刷領域および下地領域におけるインク量と印刷濃度の関係を示す説明図である。
【図３】透かし印刷領域および下地領域の印刷手法を示す説明図である。
【図４】本発明の実施形態に係るインクジェット記録装置において実行された透かし印刷が、フェルトペン等で上書きした際に滲まない状態を示す説明図である。
【図５】本発明の実施形態に係るインクジェット記録装置において実行される印刷処理の処理手順を示すフローチャートである。
【図６】本発明の実施形態に係るインクジェット記録装置において実行される透かし印刷の他の例を示す説明図である。
【図７】従来のインクジェット記録装置において実行された透かし印刷が、フェルトペン等で上書きした際に滲む状態を示す説明図である。
【発明を実施するための形態】
【００１５】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１６】
（インクジェット記録装置の機能構成について）
図１の機能ブロック図を参照して、本実施の形態に係るインクジェット記録装置（インクジェットプリンタ）１の機能構成について説明する。
【００１７】
本実施の形態に係るインクジェット記録装置１は、記録媒体（印刷用紙等）を搬送する搬送手段（搬送ローラ等）２と、該搬送手段２で搬送された記録媒体に対してインクジェットヘッドからインクを吐出させて印刷を行う印刷手段３と、透かし印刷を行うための透かし印刷データを有する透かし情報を外部（例えば、パーソナルコンピュータＰＣ等）１０から取得する透かし情報取得手段４と、取得した前記透かし印刷データに基いて所定の下地データを生成して透かし情報に付加する下地データ付加手段５と、下地データが付加された透かし情報に基いて、印刷手段３を制御して透かし印刷を実行する印刷制御手段６とを備えている。また、本実施の形態においては、記録媒体の表裏を反転させて裏面にも印刷を行う両面印刷手段７をさらに備えている。
【００１８】
そして、マイクロコンピュータ等で構成される印刷制御手段６は、透かし印刷データに対応する透かし印刷領域の単位面積当たりのインク量が、下地データに対応する下地領域（図３の符号１１参照）との単位面積当たりのインク量よりも少なくなるように、各インク量を制御するようになっている。
【００１９】
例えば、印刷制御手段６は、インク量について、下地領域のインク量＞透かし印刷領域のインク量となるように制御する。
【００２０】
なお、インクの浸透パラメータは、インクの浸透度を少なくとも含むようにできる。また、印刷条件は、記録媒体の紙質（例えば、用紙の坪量やコーティングの有無等）、印刷実行時の湿度、温度を少なくとも含むようにできる。
【００２１】
（インク量と印刷濃度の関係について）
ここで、透かし印刷領域および下地領域におけるインク量と印刷濃度の関係を示す図２を参照して、具体例について説明する。
【００２２】
まず、インクジェット記録装置１に用いられるインクジェットインクは、インク量を増量しても記録媒体の表面の濃度は一定値で飽和してしまうが、記録媒体の裏面へ浸透したインクの濃度は飽和せずに増加するという特徴を有している。
【００２３】
図２のインクの濃度とインク量の関係を示すグラフ部において、実線Ｂ１は比較例として印刷面（記録媒体の表面Ｐ１ａ）へ印刷された透かし画像、鎖線Ｂ２は比較例として印刷面（記録媒体の表面Ｐ１ａ）へ印刷された下地領域のインクの濃度とインク量の関係をプロットしたものである。
【００２４】
この比較例においては、領域イとして示すように、インク量を増量しても記録媒体の表面の濃度は一定値（例えば、濃度１．２付近）で飽和してしまうため、実線Ｂ１と鎖線Ｂ２との濃度差が殆ど無い状態となる。従って、印刷面（記録媒体の表面）側から見た場合に、透かし画像（実線Ｂ１）と下地領域（鎖線Ｂ２）との濃度差を視認できず、結果的に透かし画像を目視することができない（図２に示す印刷状態１５参照）。
【００２５】
一方、図２のインクの濃度とインク量の関係を示すグラフ部において、実線Ａ１は実施例として印刷面（記録媒体の裏面）へ印刷された透かし画像、鎖線Ａ２は実施例として印刷面（記録媒体の裏面）へ印刷された下地領域のインクの濃度とインク量の関係をプロットしたものである。
【００２６】
この実施例においては、記録媒体の裏面へ浸透したインクの濃度は飽和せずに増加するため、領域ロとして示すように、実線Ａ１と鎖線Ａ２とに濃度差：Ｃを生じさせることができる。
【００２７】
本実施例では、坪量８０ｇ／ｍ２の記録紙を用い、実線Ａ１に相当する透かし画像のインク量を５ドロップ（但し、１ドロップは６ピコリットル）、鎖線Ａ２に相当する下地領域のインク量を７〜１０ドロップ（但し、１ドロップは６ピコリットル）とした。
【００２８】
これにより、印刷面と反対側（記録媒体の表面Ｐ１ｂ側）から見た場合に、透かし画像（実線Ａ１）と下地領域（鎖線Ａ２）との濃度差により、透かし画像を目視することができる（図２の印刷状態１２に示すように、例えば透かし画像としての「秘」の文字を視認できる）。
【００２９】
（印刷手法について）
図３を参照して印刷領域および下地領域の印刷手法について説明する。
【００３０】
記録媒体の裏面Ｐ２ａに対して、透かし印刷領域に透かし画像（本実施例では「秘」の文字を左右反転させたもの）１０を印刷する。
【００３１】
また、透かし画像データに基いて生成した下地データにより下地領域１１の印刷を行う。
【００３２】
この際に、前述したように、例えば透かし画像１０のインク量を５ドロップ、下地領域１１のインク量を７〜１０ドロップとして、透かし画像１０と下地領域１１とに所定の濃度差が生じるように制御する。
【００３３】
これにより、記録媒体の裏面Ｐ２ａから見た場合には下地領域１１のみが視認され、透かし画像は視認できない状態となる。
【００３４】
一方、記録媒体の表面Ｐ２ｂ側から見た場合には、透かし画像１０と下地領域１１との濃度差により、透かし画像１０を視認できる状態となる。
【００３５】
そして、図４に示すように、本実施形態に係るインクジェット記録装置１において実行された透かし印刷によれば、記録媒体の表面Ｐ２ｂにおいてフェルトペンや蛍光ペン等で上書きした場合（符号２０参照）にも、透かし画像（「秘」の文字）は、記録媒体の裏面に印刷した画像が透けて見えているだけであるので、透かし画像が滲むことがない。
【００３６】
従って、例えば図８に示す従来例のように、記録媒体の表面Ｐ１０に通常印刷された透かし画像等１００の上からフェルトペンや蛍光ペン等でラインを引いたり文字を書き込んだ際に、透かし画像等１００がフェルトペン等のインク（符号２０参照）で滲んでしまい、読み取り難くなったり、美観を損なうなどの問題を生じることがない。
【００３７】
また、透かし印刷領域の印刷内容（画像、語句、文章等）は、記録媒体の印刷面（裏面Ｐ２ａ）と逆側の面（表面）から目視した場合にのみ視認でき、印刷面（裏面Ｐ２ａ）側からは読み取ることができない。従って、印刷面（裏面Ｐ２ａ）が外側となるように記録媒体をハガキや封書として折り込んだような場合に、透かし印刷領域の印刷内容（画像、語句、文章等）が外側から読み取れない状態とすることができ、秘匿性を向上させることができる。
【００３８】
（インクの組成について）
本実施の形態に係るインクジェット記録装置１では、顔料、極性溶剤、非極性溶剤、分散剤から構成される蒸発変化量が微小な油性インクを用いている。
【００３９】
なお、油性インクに限らず、前出の図２のグラフに示すような特性（実線Ａ１、鎖線Ａ２）を備える水性インクを用いることもできる。
【００４０】
（印刷処理について）
図５のフローチャートを参照して、本実施の形態に係るインクジェット記録装置１で実行される印刷処理の処理手順について説明する。
【００４１】
ステップＳ１０では、パーソナルコンピュータ等の外部装置から透かし画像としての画像情報を取得してステップＳ１１に移行する。
【００４２】
ステップＳ１１では、取得した画像情報がＣＭＹＫのデータであるか否かが判定され、「Ｙｅｓ」の場合にはステップＳ１３に移行し、「Ｎｏ」の場合にはステップＳ１２に移行する。
【００４３】
ステップＳ１２では、ＲＧＢデータをＣＭＹＫデータにする色変換を実行してからステップＳ１３に移行する。
【００４４】
ステップＳ１３では、画像領域の抽出を行なってステップＳ１４に移行する。ステップＳ１４では、画像の左右反転を行う。これは、記録媒体の裏面に印刷した透かし画像を表面側から見るため、予め画像の左右反転を行うことによって、表面側から目視した際に正常な状態で視認されるようにするためである。
【００４５】
ステップＳ１５では、抽出画像の周辺部に下地領域を確保してステップＳ１６に移行する。
【００４６】
ステップＳ１６では、下地領域のインク吐出量を印刷用紙および画像の色から決定してステップＳ１７に移行し、印刷を実行して処理を終了する。
【００４７】
これにより、図２の実線Ａ１、鎖線Ａ２で示したような濃度とインク量の関係を有する透かし画像および下地領域の印刷を行うことができる。
【００４８】
なお、記録媒体の表面に対して通常の印刷を実行し、記録媒体の表裏を反転させて裏面に印刷を行う両面印刷手段を用いて記録媒体の裏面に対して透かし印刷領域および下地領域の印刷を実行するように制御してもよい。
【００４９】
（他の印刷例）
前出の図２〜図４では、書類等の秘匿を促す「秘」の文字を透かし画像として印刷する例を示したが、これに限定されるものではない。
【００５０】
例えば、図６に示す「Ａ〜Ｆ」のような文字列を透かし画像として印刷することもできる。この場合には、図６（ａ）に示すように、「Ａ〜Ｆ」の各文字を左右反転させたデータを作成し、そのデータに基いて透かし画像を印刷する。
【００５１】
これにより、図６（ｂ）に示すように、「Ａ〜Ｆ」の各文字を透かして視認することができる。
【００５２】
また、「Ａ〜Ｆ」のような文字列に代えて、有意な文字列（文章等）を透かし画像として印刷することもできる。この場合の印刷手順も同様に、文章等の全体を左右反転させたデータを作成し、そのデータに基いて透かし画像を印刷するようにできる。
【００５３】
この場合に、透かし印刷領域の印刷内容（文章等）は、記録媒体の印刷面と逆側の面から目視した場合にのみ視認でき、印刷面側からは読み取ることができない。従って、透かし印刷領域の印刷内容（文章等）が裏面側から読み取れない状態とすることができ、例えば議事録や親展文書等の秘匿性を向上させることができる。
【００５４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載にしたがって解釈すべきであり、特許請求の範囲の記載技術と均等な技術および特許請求の範囲内でのすべての変更が含まれる。
【００５５】
例えば、下地領域の色は、透かし画像の色の彩度または明度を変更した色とすることができる。
【００５６】
また、インクの溶剤として、より蒸発変化量が微少なものを用いるようにしてもよい。
【符号の説明】
【００５７】
１…インクジェット記録装置
２…搬送手段
３…印刷手段
４…透かし情報取得手段
５…下地データ付加手段
６…印刷制御手段
７…両面印刷手段
１０…パーソナルコンピュータ
１１…下地領域
１２、１５…印刷状態
【図１】
2015066712.tif 000003
【図２】
2015066712.tif 000004
【図３】
2015066712.tif 000005
【図４】
2015066712.tif 000006
【図５】
2015066712.tif 000007
【図６】
2015066712.tif 000008
【図７】
2015066712.tif 000009